(57)【要約】【課題】インパルス式のＵＷＢ受信器において、任意の帯域の干渉信号に対応可能とする。【解決手段】前記ＵＷＢの広い帯域の受信信号を固定周波数のＢＰＦで濾波し、ローノイズアンプを通して信号復調器へ入力するようにした受信器において、前記信号復調器の前に可変周波数のノッチフィルタを挿入するとともに、そのフィルタ出力を検波および積分する検波器および積分器を設ける。そして制御マイコンが、そのノッチフィルタの中心周波数をＢＰＦの全帯域に亘って掃引させてみて、前記検波および積分して得られた受信信号レベルが低くなる周波数で干渉信号（妨害波）が多く発生しているものと判断し、前記受信信号レベルが最も小さくなる周波数に阻止帯域を設定する。したがって、干渉信号が任意の帯域で発生しても、広帯域で送信されるインパルス信号において、それに重ならない周波数帯域の成分を抽出し、前記信号復調器に入力することができる。【選択図】図１
2008054012.tif 000002
【特許請求の範囲】
【請求項１】
所定周期のパルス状の無線信号を当該周期と同期したタイミングで受信し、そのパルス列からベースバンド信号を復調する無線受信装置において、
受信信号が入力され、前記無線信号で使用される周波数帯域内の信号に対して、通過または阻止帯域が変化可能であり、その出力から前記ベースバンド信号の復調を行わせるフィルタと、
前記フィルタからの出力の包絡線あるいはピークを検出する検波器と、
前記検波器の出力を所定の積分期間に亘って積算する積分器と、
前記フィルタの通過または阻止帯域を変化させ、それによる積分器からの出力に応答して、前記通過または阻止を設定する帯域設定手段とを含むことを特徴とする無線受信装置。
【請求項２】
前記フィルタは、阻止帯域が変化可能な帯域阻止フィルタから成り、
前記帯域設定手段は、積分器からの出力レベルをモニタしつつ、前記帯域阻止フィルタの阻止帯域を掃引させ、前記積分器からの出力レベルが最も低下した周波数に前記帯域阻止フィルタの阻止帯域を設定することを特徴とする請求項１記載の無線受信装置。
【請求項３】
前記フィルタは、阻止帯域が変化可能な帯域阻止フィルタが複数個相互に並列に接続されて成り、
前記帯域設定手段は、前記各帯域阻止フィルタの阻止帯域を、初期状態として前記無線信号で使用される周波数帯域内で相互に異なるように設定し、前記積分器からの出力レベルをモニタしつつ、前記各帯域阻止フィルタの阻止帯域を順次前記無線信号で使用される周波数帯域外に移動させ、前記積分器からの出力レベルが所定のレベルより高くなった場合には、その帯域阻止フィルタの阻止帯域を初期状態に復帰させることを特徴とする請求項１記載の無線受信装置。
【請求項４】
前記フィルタは、帯域阻止フィルタとそれに対を成すスイッチ素子との直列回路が相互に並列に複数組接続され、かつ前記各帯域阻止フィルタの阻止帯域が前記無線信号で使用される周波数帯域内で相互に異なるように設定されて成り、
前記帯域設定手段は、前記積分器からの出力レベルをモニタしつつ、前記各スイッチ素子を導通状態から開放状態へ切換え、前記積分器からの出力レベルが所定のレベルより高くなった場合には、そのスイッチ素子を導通状態に復帰させることを特徴とする請求項１記載の無線受信装置。
【請求項５】
前記フィルタは、通過帯域が変化可能な帯域通過フィルタから成り、
前記帯域設定手段は、積分器からの出力レベルをモニタしつつ、前記帯域通過フィルタの通過帯域を掃引させ、前記積分器からの出力レベルが最も低下した周波数に前記帯域通過フィルタの通過帯域を設定することを特徴とする請求項１記載の無線受信装置。
【請求項６】
前記フィルタは、通過帯域が変化可能な帯域通過フィルタが複数個相互に並列に接続されて成り、
前記帯域設定手段は、前記積分器からの出力レベルをモニタしつつ、任意の帯域通過フィルタの通過帯域を、前記無線信号で使用される周波数帯域内で掃引させ、前記積分器からの出力レベルが所定のレベルより高くなった帯域を含まないように、各帯域通過フィルタの通過帯域を前記無線信号で使用される周波数帯域内で相互に異なるように設定することを特徴とする請求項１記載の無線受信装置。
【請求項７】
前記フィルタは、帯域通過フィルタとそれに対を成すスイッチ素子との直列回路が相互に並列に複数組接続され、かつ前記各帯域通過フィルタの通過帯域が前記無線信号で使用される周波数帯域内で相互に異なるように設定されて成り、
前記帯域設定手段は、前記積分器からの出力レベルをモニタしつつ、前記各スイッチ素子を開放状態から導通状態へ切換え、前記積分器からの出力レベルが所定のレベルより高くなった場合には、そのスイッチ素子を開放状態に復帰させることを特徴とする請求項１記載の無線受信装置。
【請求項８】
信号復調器の前段に阻止帯域が変化可能な帯域阻止フィルタをさらに備えることを特徴とする請求項５〜７のいずれか１項に記載の無線受信装置。
【請求項９】
信号復調器が相関受信器である場合に、比較信号源と相関器との間に、前記信号復調器の前段に配置したフィルタと同等のフィルタを設けることを特徴とする請求項１〜８のいずれか１項に記載の無線受信装置。
【発明の詳細な説明】
【技術分野】
【０００１】
本発明は、所定周期のパルス状の無線信号を当該周期と同期したタイミングで受信し、そのパルス列からベースバンド信号を復調する無線受信装置に関する。
【背景技術】
【０００２】
近年、高速、低消費電力、低コストな近距離無線通信技術として、ウルトラワイドバンド（UWB：Ultra Wide Band）無線技術が注目されている。ＵＷＢ無線技術は、５００ＭＨｚ以上の帯域幅または２０％以上の比帯域幅に幅広く周波数スペクトルを拡散させて通信を行うもので、単位帯域幅当りの送信電力を下げて、従来からある他の無線通信と周波数帯を共用するものである。
【０００３】
そして、米国では、２００２年に、３．１〜１０．６（ＧＨｚ）の周波数帯において−４１．３（ｄＢｍｅｉｒｐ／ＭＨｚ）までの出力が法制化され、我が国においては、３．４〜４．８（ＧＨｚ）および７．２５〜１０．２５（ＧＨｚ）の周波数帯で−４１．３（ｄＢｍｅｉｒｐ／ＭＨｚ）、欧州においては３．１〜４．８（ＧＨｚ）および６〜９（ＧＨｚ）の周波数帯で−４１．３（ｄＢｍｅｉｒｐ／ＭＨｚ）の出力が法制化される見込みである。これらの周波数帯には、固定マイクロ波無線、固定系・移動系放送中継装置、航空機用電波高度計、気象レーダー等の無線局が既に存在している。さらに、第４世代携帯電話も上記周波数帯を利用する予定である。前述のＵＷＢ通信での出力レベルは、これら既存の無線システムに干渉を与えない程度に抑制された値となっている。
【０００４】
図２０〜２５を用いて、前記ＵＷＢ無線技術の一態様について説明する。このＵＷＢ無線技術は、たとえば特許文献１に示されるもので、搬送波を用いず、パルス幅がたとえば１ｎｓｅｃ以下等の極めて短いパルス信号から成るパルス列を用いて通信を行うものである。図２０は、送信器１の概略構成を示すブロック図である。このＵＷＢ無線技術は、正弦波を搬送波に用いる従来の無線技術とは異なり、図２１（ａ）および図２２（ａ）で示すような送信すべきベースバンド信号に基づいて、変調部２が、インパルス列を、図２１（ｂ）や図２２（ｂ）で示すように変調をして、ＢＰＦ３でＵＷＢ無線に割当てられた上述の周波数帯域内に収まるように帯域制限をした後、アンプ４で増幅し、アンテナ５から放射する。
【０００５】
実際に送信されるインパルス信号は、前記ＢＰＦ３による帯域制限によって、図２１（ｃ）や図２２（ｃ）で示されるような時間軸方向にある程度の長さを持った信号となる。図２１は、変調方式として振幅変調（ＡＳＫ）の例を示しており、図２２は位相変調（ＢＰＳＫ）の例を示している。
【０００６】
図２３は、上述のようなインパルス式のＵＷＢ無線方式における典型的な従来技術の受信器１１の概略的構成を示すブロック図である。アンテナ１２で受信された信号は、周波数帯域が固定のバンドパスフィルタ（以下、ＢＰＦ）１３で受信帯域以外の周波数成分が除去され、ローノイズアンプ１４で増幅された後に、信号復調器１５において復調され、さらに判定器１６においてビット判定され、その復調ビット列がマイコン１７に取り込まれて前記ベースバンド信号に復元され、電文解析等の処理が行われる。
【０００７】
前記復調器１５の構成としては、前記ＡＳＫ変調に対応する場合には、図２４に示すように、ダイオードの非線形性を用いた検波器２１と、１ビット区間に亘って積分することで復調信号を生成する積分放電器２２と、前記復調信号のビットレートを再生して積分放電器２２にタイミングを供給するビット同期回路２３とを備えて構成され、前記ＢＰＳＫ変調に対応する場合には、図２５に示すように、インパルス列からＢＰＦ２４で作成した送信信号と同等の波形となる比較信号と、受信信号との相関を相関器２５で演算し、その後、前記積分放電器２２において１ビット区間に亘って積分して復調信号を生成し、ビット同期回路２３において復調信号のビットレートを再生して積分放電器２２にタイミングを供給する。
【０００８】
前述のように、ＵＷＢ無線は既存の無線システムと周波数帯域を共用するものであり、既存の無線システムに対してＵＷＢ無線が干渉しないことは、ＵＷＢ無線の出力を前述のように微小な−４１．３（ｄＢｍｅｉｒｐ／ＭＨｚ）に抑制することで担保されている。これに対して、既存の無線システムの出力は数（Ｗ）〜数十（Ｗ）あり、アンテナ利得も数十（ｄＢｉ）もあるので、ＵＷＢ無線が受ける干渉の影響は大きい。
【０００９】
そこで、特許文献２には、周波数帯域が既知である通常の狭帯域の通信に使用される信号成分を固定周波数のフィルタで抽出し、その抽出した電力が所定の閾値以上であるときには、干渉が大きいと判断して、その抽出した信号成分をＵＷＢの受信信号から減算することで除去するようにしたＵＷＢ受信装置が提案されている。
【特許文献１】特表平１０−５０８７２５号公報
【特許文献２】特開２００４−１３５２３４号公報
【発明の開示】
【発明が解決しようとする課題】
【００１０】
上述の従来技術では、無線ＬＡＮやＧＰＳなど、予め干渉信号となり得る帯域成分が分っている信号については効果を奏するものの、想定していない帯域成分の干渉信号については、フィルタが対応できず、前記干渉信号を除去できないという問題がある。たとえば、ＬＡＮや移動体通信などで新しい周波数帯や変調方式が定義されると、適応できない。
【００１１】
本発明の目的は、所定周期のパルス状の無線信号を当該周期と同期したタイミングで受信し、そのパルス列からベースバンド信号を復調する無線受信装置において、任意の帯域の干渉信号に対応することができる無線受信装置を提供することである。
【課題を解決するための手段】
【００１２】
本発明の無線受信装置は、所定周期のパルス状の無線信号を当該周期と同期したタイミングで受信し、そのパルス列からベースバンド信号を復調する無線受信装置において、受信信号が入力され、前記無線信号で使用される周波数帯域内の信号に対して、通過または阻止帯域が変化可能であり、その出力から前記ベースバンド信号の復調を行わせるフィルタと、前記フィルタからの出力の包絡線あるいはピークを検出する検波器と、前記検波器の出力を所定の積分期間に亘って積算する積分器と、前記フィルタの通過または阻止帯域を変化させ、それによる積分器からの出力に応答して、前記通過または阻止を設定する帯域設定手段とを含むことを特徴とする。
【００１３】
上記の構成によれば、ＵＷＢ信号などの所定周期のパルス状の無線信号を当該周期と同期したタイミングで受信し、そのパルス列からベースバンド信号を復調する無線受信装置において、広帯域アンテナで受信された信号成分は、フィルタにおいて前記無線信号で使用される周波数帯域の成分が抽出され、信号復調器に入力されて前記ベースバンド信号の復調に使用される。ここで本発明では、前記フィルタの出力を使用して、検波器において包絡線あるいはピーク検波を行い、その出力を積分器において所定の積分期間に亘って積算することで、受信信号レベルを検出できるようにするとともに、前記フィルタの通過または阻止帯域を可変とする。そして、帯域設定手段が前記フィルタの通過または阻止帯域を変化させつつ、積分器から出力される受信信号レベルをモニタし、前記受信信号レベルが高くなる場合にはフィルタから干渉信号（妨害波）が多く通過しているものと判断し、低くなる場合にはフィルタで前記干渉信号が阻止されているものと判断し、前記干渉信号のレベルが最も小さくなるように前記フィルタの通過または阻止帯域を設定する。
【００１４】
したがって、任意の帯域の干渉信号が存在しても、広帯域で送信されるインパルス信号において前記干渉信号と重ならない周波数帯域の成分を抽出し、前記信号復調器に入力することができるので、前記干渉信号に対する耐性を高めることができる。
【００１５】
また、本発明の無線受信装置では、前記フィルタは、阻止帯域が変化可能な帯域阻止フィルタから成り、前記帯域設定手段は、積分器からの出力レベルをモニタしつつ、前記帯域阻止フィルタの阻止帯域を掃引させ、前記積分器からの出力レベルが最も低下した周波数に前記帯域阻止フィルタの阻止帯域を設定することを特徴とする。
【００１６】
上記の構成によれば、干渉信号を阻止するにあたって、前記フィルタを、阻止帯域が変化可能な帯域阻止フィルタ（バンドエリミネーションフィルタ、ノッチフィルタ）で構成し、これに対応して、前記帯域設定手段の動作としては、積分器からの出力レベルをモニタしつつ、前記帯域阻止フィルタの阻止帯域を掃引させると、積分器からの出力レベルが低下した周波数に前記干渉信号が存在すると推定されるので、前記無線信号で使用される周波数帯域の全域を掃引させた後に、前記出力レベルが最も低下した周波数に前記帯域阻止フィルタの阻止帯域を設定する。
【００１７】
これによって、最もレベルの高い干渉信号を阻止することができる。
【００１８】
さらにまた、本発明の無線受信装置では、前記フィルタは、阻止帯域が変化可能な帯域阻止フィルタが複数個相互に並列に接続されて成り、前記帯域設定手段は、前記各帯域阻止フィルタの阻止帯域を、初期状態として前記無線信号で使用される周波数帯域内で相互に異なるように設定し、前記積分器からの出力レベルをモニタしつつ、前記各帯域阻止フィルタの阻止帯域を順次前記無線信号で使用される周波数帯域外に移動させ、前記積分器からの出力レベルが所定のレベルより高くなった場合には、その帯域阻止フィルタの阻止帯域を初期状態に復帰させることを特徴とする。
【００１９】
上記の構成によれば、干渉信号を阻止するにあたって、前記フィルタを、阻止帯域が変化可能であり、かつ阻止帯域が初期状態において前記無線信号で使用される周波数帯域内で相互に異なる複数の帯域阻止フィルタで構成し、これに対応して、前記帯域設定手段の動作としては、積分器からの出力レベルをモニタしつつ、前記各帯域阻止フィルタの阻止帯域を前記相互に異なる周波数である初期状態の周波数から前記無線信号で使用される周波数帯域外へ一旦移動させ、前記積分器からの出力レベルが所定のレベルより高くなった場合には、移動させる前の阻止帯域に前記干渉信号が存在すると推定されるので、その帯域阻止フィルタの阻止帯域を初期状態に復帰させる。
【００２０】
したがって、干渉信号が存在している帯域に設定された帯域阻止フィルタによって、干渉信号の存在する帯域だけを阻止させ、干渉信号が存在していない帯域はそのまま通過させることができる。
【００２１】
また、本発明の無線受信装置では、前記フィルタは、帯域阻止フィルタとそれに対を成すスイッチ素子との直列回路が相互に並列に複数組接続され、かつ前記各帯域阻止フィルタの阻止帯域が前記無線信号で使用される周波数帯域内で相互に異なるように設定されて成り、前記帯域設定手段は、前記積分器からの出力レベルをモニタしつつ、前記各スイッチ素子を導通状態から開放状態へ切換え、前記積分器からの出力レベルが所定のレベルより高くなった場合には、そのスイッチ素子を導通状態に復帰させることを特徴とする。
【００２２】
上記の構成によれば、干渉信号を阻止するにあたって、前記フィルタを、帯域阻止フィルタとそれに対を成すスイッチ素子との直列回路を相互に並列に複数組接続することで構成し、かつ前記各帯域阻止フィルタの阻止帯域が前記無線信号で使用される周波数帯域内で相互に異なるように設定しておき、これに対応して、前記帯域設定手段の動作としては、積分器からの出力レベルをモニタしつつ、前記各スイッチ素子を初期状態の導通状態から一旦開放状態へ切換え、前記積分器からの出力レベルが所定のレベルより高くなった場合には、その開放したスイッチ素子に対応した帯域阻止フィルタの阻止帯域に前記干渉信号が存在すると推定されるので、その帯域阻止フィルタに対応するスイッチ素子を導通状態に復帰させる。
【００２３】
したがって、干渉信号が存在している帯域に設定された帯域阻止フィルタによって、干渉信号の存在する帯域だけを阻止させ、干渉信号が存在していない帯域はそのまま通過させることができる。
【００２４】
さらにまた、本発明の無線受信装置では、前記フィルタは、通過帯域が変化可能な帯域通過フィルタから成り、前記帯域設定手段は、積分器からの出力レベルをモニタしつつ、前記帯域通過フィルタの通過帯域を掃引させ、前記積分器からの出力レベルが最も低下した周波数に前記帯域通過フィルタの通過帯域を設定することを特徴とする。
【００２５】
上記の構成によれば、干渉信号を阻止するにあたって、前記フィルタを、通過帯域が変化可能な帯域通過フィルタ（バンドパスフィルタ）で構成し、これに対応して、前記帯域設定手段の動作としては、積分器からの出力レベルをモニタしつつ、前記帯域通過フィルタの通過帯域を掃引させると、積分器からの出力レベルが高い周波数程、前記干渉信号が存在すると推定されるので、前記無線信号で使用される周波数帯域の全域を掃引させた後に、前記出力レベルが最も低下した周波数に前記帯域通過フィルタの通過帯域を設定する。
【００２６】
これによって、最も干渉信号レベルの低い帯域を通過させることができる。
【００２７】
また、本発明の無線受信装置では、前記フィルタは、通過帯域が変化可能な帯域通過フィルタが複数個相互に並列に接続されて成り、前記帯域設定手段は、前記積分器からの出力レベルをモニタしつつ、任意の帯域通過フィルタの通過帯域を、前記無線信号で使用される周波数帯域内で掃引させ、前記積分器からの出力レベルが所定のレベルより高くなった帯域を含まないように、各帯域通過フィルタの通過帯域を前記無線信号で使用される周波数帯域内で相互に異なるように設定することを特徴とする。
【００２８】
上記の構成によれば、干渉信号を阻止するにあたって、前記フィルタを、通過帯域が変化可能な複数の帯域通過フィルタで構成し、これに対応して、前記帯域設定手段の動作としては、積分器からの出力レベルをモニタしつつ、任意の帯域通過フィルタの通過帯域を、前記無線信号で使用される周波数帯域内で掃引させ、前記積分器からの出力レベルが所定のレベルより高くなるか否かから干渉信号の帯域を探索する。そして、積分器からの出力レベルが前記所定のレベルより高くなった帯域は干渉信号が存在すると推定されるので、その帯域を含まないように、各帯域通過フィルタの通過帯域を前記無線信号で使用される周波数帯域内で相互に異なるように設定する。
【００２９】
したがって、複数の帯域通過フィルタで干渉信号が存在しない帯域だけを通過させることができる。
【００３０】
さらにまた、本発明の無線受信装置では、前記フィルタは、帯域通過フィルタとそれに対を成すスイッチ素子との直列回路が相互に並列に複数組接続され、かつ前記各帯域通過フィルタの通過帯域が前記無線信号で使用される周波数帯域内で相互に異なるように設定されて成り、前記帯域設定手段は、前記積分器からの出力レベルをモニタしつつ、前記各スイッチ素子を開放状態から導通状態へ切換え、前記積分器からの出力レベルが所定のレベルより高くなった場合には、そのスイッチ素子を開放状態に復帰させることを特徴とする。
【００３１】
上記の構成によれば、干渉信号を阻止するにあたって、前記フィルタを、帯域通過フィルタとそれに対を成すスイッチ素子との直列回路を相互に並列に複数組接続することで構成し、かつ前記各帯域通過フィルタの通過帯域が前記無線信号で使用される周波数帯域内で相互に異なるように設定しておき、これに対応して、前記帯域設定手段の動作としては、積分器からの出力レベルをモニタしつつ、前記各スイッチ素子を初期状態の開放状態から一旦導通状態へ切換え、前記積分器からの出力レベルが所定のレベルより高くなった場合には、その導通したスイッチ素子に対応した帯域通過フィルタの通過帯域に前記干渉信号が存在すると推定されるので、その帯域通過フィルタに対応するスイッチ素子を開放状態に復帰させる。
【００３２】
したがって、複数の帯域通過フィルタで干渉信号が存在しない帯域だけを通過させることができる。
【００３３】
また、本発明の無線受信装置は、信号復調器の前段に阻止帯域が変化可能な帯域阻止フィルタをさらに備えることを特徴とする。
【００３４】
上記の構成によれば、前記帯域通過フィルタの通過帯域の設定によっても避けきれない干渉信号に対しても、前記帯域通過フィルタにさらに帯域阻止フィルタを組合わせることで極力阻止することができる。
【００３５】
さらにまた、本発明の無線受信装置は、信号復調器が相関受信器である場合に、比較信号源と相関器との間に、前記信号復調器の前段に配置したフィルタと同等のフィルタを設けることを特徴とする。
【００３６】
上記の構成によれば、信号復調器が相関受信器である場合に受信信号と同様のフィルタ処理を比較信号に対しても行う。
【００３７】
したがって、本発明を相関受信器に対しても適用することができる。
【発明の効果】
【００３８】
本発明の無線受信装置は、以上のように、任意の帯域の干渉信号が存在しても、広帯域で送信されるインパルス信号において前記干渉信号と重ならない周波数帯域の成分を抽出し、前記信号復調器に入力することができるので、前記干渉信号に対する耐性を高めることができる。
【００３９】
また、本発明の無線受信装置は、以上のように、帯域阻止フィルタの阻止帯域を、無線信号で使用される周波数帯域の全域を掃引させた後に、出力レベルが最も低下した周波数に設定するので、最もレベルの高い干渉信号を阻止することができる。
【００４０】
さらにまた、本発明の無線受信装置は、以上のように、干渉信号が存在している帯域に設定された帯域阻止フィルタによって、干渉信号の存在する帯域だけを阻止させ、干渉信号が存在していない帯域はそのまま通過させることができる。
【００４１】
さらにまた、本発明の無線受信装置は、以上のように、無線信号で使用される周波数帯域の全域を掃引させた後に、出力レベルが最も低下した周波数に帯域通過フィルタの通過帯域を設定するので、最も干渉信号レベルの低い帯域を通過させることができる。
【００４２】
また、本発明の無線受信装置は、以上のように、複数の帯域通過フィルタで干渉信号が存在しない帯域だけを通過させることができる。
【００４３】
また、本発明の無線受信装置は、以上のように、帯域通過フィルタの通過帯域の設定によっても避けきれない干渉信号に対しても、前記帯域通過フィルタにさらに帯域阻止フィルタを組合わせることで極力阻止することができる。
【００４４】
さらにまた、本発明の無線受信装置は、以上のように、信号復調器が相関受信器である場合に受信信号と同様のフィルタ処理を比較信号に対しても行うので、本発明を相関受信器に対しても適用することができる。
【発明を実施するための最良の形態】
【００４５】
［実施の形態１］
図１は、インパルス式のＵＷＢ無線方式における本発明の実施の第１の形態に係る受信器３１の電気的構成を示すブロック図である。この受信器３１では、広帯域のアンテナ３２で受信された信号は、周波数帯域が固定のＢＰＦ３３で受信帯域以外の周波数成分が除去され、さらに後述の電圧制御可変周波数ＢＥＦ３４を介してローノイズアンプ３５に入力され、増幅された後に、信号復調器３６において復調され、さらに判定器３７においてビット判定され、その復調ビット列がマイコン３８に取り込まれて前記ベースバンド信号に復元され、電文解析等の処理が行われる。前記アンテナ３２、ＢＰＦ３３、ローノイズアンプ３５、信号復調器３６および判定器３７は、前述の図２３で示す受信器１１におけるアンテナ１２、ＢＰＦ１３、ローノイズアンプ１４、信号復調器１５および判定器１６とそれぞれ同様の構成である。
【００４６】
注目すべきは、本発明では、周波数帯域が固定の前記ＢＰＦ３３から信号復調器３６までの間に、通過特性を変化することができるフィルタが介在されることであり、この図１の受信器３１では、電圧制御可変周波数ＢＥＦ３４が介在されている。また、これに対応して、前記信号復調器３６と並列に、検波器３９と積分器４０が挿入されている。前記ＢＰＦ３３からの受信信号は、前記検波器３９において、包絡線あるいはピーク検波され、その出力が積分器４０において所定の積分期間に亘って積算されることで、所定期間の平均受信信号電力レベルを検出できるようになる。こうして求められた受信信号電力レベルはマイコン３８のＡＤ変換入力端子から入力され、このマイコン３８は、後述するようにその受信信号電力レベルをモニタしながら、ＤＡ変換出力端子から出力する制御電圧を変化し、電圧制御可変周波数ＢＥＦ３４の通過特性（阻止帯域）を調整する。
【００４７】
なお、固定周波数のＢＰＦ３３、可変周波数のＢＥＦ３４およびローノイズアンプ３５は、それらの順序を任意に入れ替えても同様の効果が得られることは自明である。前記信号復調器３６の構成としては、ＡＳＫ変調に対応する場合には、たとえば前述の図２４の構成を用いることができ、ＢＰＳＫ変調に対応する場合には、たとえば前述の図２５の構成を用いることができる。この信号復調器３６内には、検波器が設けられており、その検波器からの出力を分岐して取出すことで、前記検波器３９を省略することもできる。
【００４８】
図２は、電圧制御可変周波数ＢＥＦ３４の一構成例を示す電気回路図である。この電圧制御可変周波数ＢＥＦ３４は、信号ラインＫ１が結合コンデンサＣ１，Ｃ２によって直流的に分断され、その結合コンデンサＣ１，Ｃ２の接続点が、バラクタダイオードＤ１およびインダクタＬ１を介して接地されて構成されている。前記バラクタダイオードＤ１は、逆バイアス電圧に比例して容量が変化し、そのカソード側には、前記マイコン３８から直流の制御電圧ＶＴが印加される。したがって、前記バラクタダイオードＤ１およびインダクタＬ１は直列共振器を構成し、その共振周波数は前記制御電圧ＶＴによって変化可能であり、共振周波数ではインピーダンスがゼロとなって前記信号ラインＫ１がグランドに短絡され、入力信号のうちその共振周波数前後の周波数成分のみを選択的に阻止することができる。
【００４９】
図３は、マイコン３８の動作を説明するための波形図である。先ず、固定周波数のＢＰＦ３３の通過帯域は、前記インパルス式のＵＷＢ無線方式の全ての周波数の成分を通過させられるように予め定められており、たとえば３〜５（ＧＨｚ）である。これに対して、干渉信号は任意の周波数で発生する。そこで、マイコン３８は、予めプログラミングされたソフトウェアによって、前記積分器４０からＡＤ変換入力端子に入力される受信信号電力レベルが予め定める閾値レベル以上となると、前記干渉信号の発生によって該受信信号電力レベルが上昇したものと判定し、その受信信号電力レベルをモニタしつつ、前記ＤＡ変換出力端子の電圧、すなわち前記制御電圧ＶＴを、出力範囲の下限から、上限へ向けて、１ステップずつ上昇してゆく。
【００５０】
これによって、前記バラクタダイオードＤ１は、逆バイアス電圧が上がると容量が減るので、ＢＥＦ３４の中心周波数は、図３で示すように上がってゆくことになる。こうして、マイコン３８のソフトウェアは、ＤＡ変換出力の電圧を徐々に変化させてＢＥＦ３４の中心周波数を全域で掃引させた後に、受信信号電力レベルが最小となった周波数でＡＤ変換出力の電圧を固定することで、電圧制御可変周波数ＢＥＦ３４の中心周波数を最もレベルの高い干渉信号の周波数と一致させることができる。
【００５１】
ここで、ＵＷＢ無線の帯域幅が５００（ＭＨｚ）以上と広いのに対し、既存の無線システムの使用する周波数帯幅は数（ＭＨｚ）〜数十（ＭＨｚ）と相対的に狭く、このように非常に広帯域に周波数スペクトルを拡散させるＵＷＢ無線の特性として、その周波数成分の一部が欠損しても、受信感度は低下するが、受信データを復調することは可能である。そこで、本発明は、このようなＵＷＢ無線の特性を利用して、任意の帯域の干渉信号が存在しても、広帯域で送信されるインパルス信号において前記干渉信号と重ならない周波数帯域の成分を抽出し、前記信号復調器３６に入力することができるので、前記干渉信号に対する耐性を高めることができる。なお、前記ＢＥＦ３４の中心周波数の掃引は、前記受信信号電力レベルの上昇時だけでなく、受信開始時や定期的に行われてもよい。
【００５２】
［実施の形態２］
図４は、インパルス式のＵＷＢ無線方式における本発明の実施の第２の形態に係る受信器４１の電気的構成を示すブロック図である。この受信器４１は前述の受信器３１に類似し、対応する部分には同一の参照符号を付して示し、その説明を省略する。注目すべきは、この受信器４１では、前記フィルタとして、可変周波数ＢＥＦ群４４が用いられることである。この可変周波数ＢＥＦ群４４は、図５で示すように、前記信号ラインＫ１が多段の結合コンデンサＣ１〜Ｃ６によって直流的に分断され、それらの結合コンデンサＣ１〜Ｃ６の接続点が、バラクタダイオードＤ１１〜Ｄ１５およびインダクタＬ１１〜Ｌ１５から成る直列回路をそれぞれ介して接地されて構成されている。したがって、各直列回路が、特定の周波数の成分を阻止する帯域阻止フィルタＦ１〜Ｆ５を構成する。前記各バラクタダイオードＤ１１〜Ｄ１５には、マイコン４８から、個別に制御可能な制御電圧ＶＴ１〜ＶＴ５が印加される。
【００５３】
図６は、マイコン４８の動作を説明するための波形図である。固定周波数のＢＰＦ３３の通過帯域は、前述の図３と同様である。この図６では、干渉信号は２つのスペクトルが存在する例を示している。本実施の形態では、マイコン４８のソフトウェアは、上記のような可変周波数ＢＥＦ群４４を用いることに適応して、調整動作を開始すると、各帯域阻止フィルタＦ１〜Ｆ５の阻止帯域（すなわち前記制御電圧ＶＴ１〜ＶＴ５）を、初期状態として前記インパルス式のＵＷＢ無線信号で使用される周波数帯域内で相互に異なるように設定する。続いて、前記積分器４０からの受信信号電力レベルをモニタしつつ、前記各帯域阻止フィルタＦ１〜Ｆ５の阻止帯域を、順次、図５で示すように前記ＵＷＢ無線信号で使用される周波数帯域外に一旦移動させ、前記受信信号電力レベルが所定のレベルより高くなった場合には、移動させる前の阻止帯域に前記干渉信号が存在すると推定されるので、その帯域阻止フィルタの阻止帯域を初期状態に復帰させ、高くならない場合にはそのままの帯域で維持する。
【００５４】
したがって、干渉信号が存在している帯域に設定された帯域阻止フィルタによって、干渉信号の存在する帯域だけを阻止させ、干渉信号が存在していない帯域はそのまま通過させることができる。
【００５５】
［実施の形態３］
図７は、インパルス式のＵＷＢ無線方式における本発明の実施の第３の形態に係る受信器５１の電気的構成を示すブロック図である。この受信器５１は前述の受信器４１に類似し、対応する部分には同一の参照符号を付して示し、その説明を省略する。注目すべきは、この受信器５１では、前記フィルタとして、固定周波数ＢＥＦ群５４が用いられることである。この固定周波数ＢＥＦ群５４は、図８で示すように、前記信号ラインＫ１が多段の結合コンデンサＣ１〜Ｃ６によって直流的に分断され、それらの結合コンデンサＣ１〜Ｃ６の接続点が、コンデンサＣ１１〜Ｃ１５、インダクタＬ１１〜Ｌ１５およびスイッチ素子として機能するＰＩＮダイオードＳ１１〜Ｓ１５から成る直列回路をそれぞれ介して接地されて構成されている。前記ＰＩＮダイオードＳ１１〜Ｓ１５のアノードには、マイコン５８から、個別にＯＮ／ＯＦＦ制御可能な制御電圧ＶＴ１１〜ＶＴ１５が印加される。
【００５６】
したがって、前記コンデンサＣ１１〜Ｃ１５およびインダクタＬ１１〜Ｌ１５から構成される直列共振器が、特定の周波数の成分を阻止する帯域阻止フィルタＦ１１〜Ｆ１５を構成し、マイコン５８の前記ＤＡ変換出力端子やＩ／Ｏポートなどのデジタル出力端子からの前記制御電圧ＶＴ１１〜ＶＴ１５が、ハイレベルになると、前記ＰＩＮダイオードＳ１１〜Ｓ１５が導通状態になって、対応する帯域阻止フィルタＦ１１〜Ｆ１５が信号ラインＫ１に接続されることになり、ローレベルになると、ＰＩＮダイオードＳ１１〜Ｓ１５が開放状態となって、帯域阻止フィルタＦ１１〜Ｆ１５が信号ラインＫ１から切離されることになる。
【００５７】
図９は、マイコン５８の動作を説明するための波形図である。先ず、各帯域阻止フィルタＦ１１〜Ｆ１５の中心周波数は、前記ＵＷＢ無線信号で使用される周波数帯域内で均等に配置され、全帯域が阻止可能なように、前記コンデンサＣ１１〜Ｃ１５およびインダクタＬ１１〜Ｌ１５の定数が調整されている。調整動作を開始すると、マイコン５８は、初期状態として、前記制御電圧ＶＴ１１〜ＶＴ１５を全てハイレベルとし、全ての帯域阻止フィルタＦ１１〜Ｆ１５を挿入させた状態とする。その後、各制御電圧ＶＴ１１〜ＶＴ１５を順次ローレベルとして、対応する帯域阻止フィルタＦ１１〜Ｆ１５を切離してみて、受信信号電力レベルが変化するか観測する。受信信号電力レベルが所定のレベルより高くなった場合には、その開放した帯域阻止フィルタＦ１１〜Ｆ１５の帯域内に干渉信号が存在すると推定されるので、その帯域阻止フィルタＦ１１〜Ｆ１５に対応するＰＩＮダイオードＳ１１〜Ｓ１５を導通状態に復帰させる。
【００５８】
このような操作を固定周波数の各帯域阻止フィルタＦ１１〜Ｆ１５について実行すれば、図９で示すように、干渉信号が存在している帯域に設定された帯域阻止フィルタによって、干渉信号の存在する帯域だけを阻止させ、干渉信号が存在していない帯域はそのまま通過させることができる。また、各帯域阻止フィルタＦ１１〜Ｆ１５の中心周波数が固定であるので、コンデンサＣ１１〜Ｃ１５やインダクタＬ１１〜Ｌ１５に高精度部品を用いたり、ＬＣ共振器に代えて基板パターンでスタブを構成するなどの方法で該帯域阻止フィルタＦ１１〜Ｆ１５を高精度に作成することができ、無調整化を図り易くなる。
【００５９】
［実施の形態４］
図１０は、インパルス式のＵＷＢ無線方式における本発明の実施の第４の形態に係る受信器６１の電気的構成を示すブロック図である。この受信器６１は前述の受信器３１に類似し、対応する部分には同一の参照符号を付して示し、その説明を省略する。注目すべきは、この受信器４１では、前記フィルタとして、電圧制御可変周波数ＢＰＦ６４が用いられることである。このＢＰＦ６４は、図１１で示すように、前記信号ラインＫ１が結合コンデンサＣ１〜Ｃ３によって直流的に２段に分断され、それらの結合コンデンサＣ１〜Ｃ３の接続点に、可変周波数の定Ｋ型ローパスフィルタＦＬおよびハイパスフィルタＦＨがそれぞれ接続されて構成されている。
【００６０】
前記ローパスフィルタＦＬは、前記信号ラインＫ１にインダクタＬ２１，Ｌ２２が介在され、それらの接続点が、逆バイアス電圧に比例して容量が変化するバラクタダイオードＤ２１を介して接地されて構成されている。前記ハイパスフィルタＦＨは、前記信号ラインＫ１に介在されるバラクタダイオードＤ２２およびコンデンサＣ２１と、その入力側および出力側をそれぞれ接地するインダクタＬ２３，Ｌ２４とを備えて構成される。マイコン６８が、前記バラクタダイオードＤ２１，Ｄ２２に与える制御電圧ＶＴ２１，ＶＴ２２を変化することで、該バラクタダイオードＤ２１，Ｄ２２の容量が変化し、前記ローパスフィルタＦＬおよびハイパスフィルタＦＨのカットオフ周波数が変化する。
【００６１】
図１２は、この受信器６１におけるマイコン６８の動作を説明するための波形図である。調整動作を開始すると、マイコン６８は、初期状態として、前記制御電圧ＶＴ２１，ＶＴ２２を予め定められている値に適宜調整して、前記固定周波数のＢＰＦ３３の通過帯域と同等以上の通過帯域に該可変周波数のＢＰＦ６４の通過帯域を設定する。続いて、マイコン６８のソフトウェアは、ローパスフィルタＦＬに与える制御電圧ＶＴ２１を掃引しながら、受信信号電力レベルを観測して、受信信号電力レベルが低減する点を調べる。次に、前記ローパスフィルタＦＬの制御電圧ＶＴ２１を初期状態の電圧に戻してから、ハイパスフィルタＦＨの制御電圧ＶＴ２２を掃引しながら、受信信号電力レベルを観測して、受信信号電力レベルが低減する点を調べる。そして、ローパスフィルタＦＬを制御した場合と、ハイパスフィルタＦＨを制御した場合とのいずれが通過帯域幅を広くできるかを判断して、ローパスフィルタＦＬとハイパスフィルタＦＨとのいずれかの一方のカットオフ周波数を制御する。
【００６２】
このようにして、干渉信号が存在する場合に、図１２で示すように、それを避けて帯域の上側または下側の広い方の周波数帯のＵＷＢ信号を受信できるようになる。また、現状でＵＷＢ無線と周波数を共用する無線通信システムの占有周波数帯幅は数（ＭＨｚ）〜数十（ＭＨｚ）であるが、今後割当てられる第４世代携帯電話システムなど次世代移動体通信システムの占有周波数帯幅は数百（ＭＨｚ）程度が想定されている。この場合、前記ＢＥＦ３４，４４，５４ではそのように広い阻止帯域を実現することが困難であるが、ＢＰＦ６４を用いることで、広い阻止帯域を実現することができる。
【００６３】
［実施の形態５］
図１３は、インパルス式のＵＷＢ無線方式における本発明の実施の第５の形態に係る受信器７１の電気的構成を示すブロック図である。この受信器７１は前述の受信器６１に類似している。注目すべきは、この受信器７１では、前記フィルタとして、可変周波数のＢＰＦ群７４が用いられることである。前記ＢＰＦ群７４は、相互に並列の複数（図１３では２つ）のＢＰＦ７４ａ，７４ｂから構成されており、各ＢＰＦ７４ａ，７４ｂは、たとえば前述の図１１で示すように構成されている。
【００６４】
図１４は、この受信器７１におけるマイコン７８の動作を説明するための波形図である。調整動作を開始すると、マイコン６８は、初期状態として、前記各ＢＰＦ７４ａ，７４ｂの通過帯域を固定周波数ＢＰＦ３３の通過帯域外にしており、その後ＢＰＦ７４ａ，７４ｂの内の一方の中心周波数を掃引しながら、受信信号電力レベルを観測して、干渉信号の周波数を調べる。次に、前記受信信号電力レベルが所定のレベルより高くなった干渉信号の周波数を避けて、図１４で示すように、各ＢＰＦ７４ａ，７４ｂの通過帯域を割当てるように制御する。このようにして、複数のＢＰＦ７４ａ，７４ｂで干渉信号が存在しない帯域だけを通過させることができる。
【００６５】
［実施の形態６］
図１５は、インパルス式のＵＷＢ無線方式における本発明の実施の第６の形態に係る受信器８１の電気的構成を示すブロック図である。この受信器８１は、前述の受信器５１，７１に類似している。注目すべきは、この受信器８１では、前記フィルタとして、固定周波数のＢＰＦ群８４が用いられることである。前記ＢＰＦ群８４は、固定周波数のＢＰＦ８４１１〜８４１４と、個別に対応するスイッチ素子８４２１〜８４２４との直列回路が相互に並列に複数（図１５では４つ）接続されて構成されている。各ＢＰＦ８４１１〜８４１４は、コンデンサとインダクタンスとを用いた前述の図１１で示すような定Ｋ型フィルタ以外に、誘電体セラミックフィルタや、基板上に形成された共振器などで実現することができる。前記スイッチ素子８４２１〜８４２４は、図８と同様にＰＩＮダイオードなどで構成することができる。
【００６６】
図１６は、この受信器８１におけるマイコン８８の動作を説明するための波形図である。前記各ＢＰＦ８４１１〜８４１４の通過帯域は、前段の固定ＢＰＦ３３の通過帯域に亘って、均等に配置されている。調整動作を開始すると、マイコン８８は、初期状態として全てのスイッチ素子８４２１〜８４２４を開放状態とする。続いて、各スイッチ素子８４２１〜８４２４を順に導通状態にしながら、受信信号電力レベルを観測して、受信信号電力レベルが所定のレベルより高くなった場合には、その導通したスイッチ素子に対応したＢＰＦの通過帯域に前記干渉信号が存在すると推定されるので、その帯域通過フィルタに対応するスイッチ素子を開放状態に復帰させる。
【００６７】
このようにして、図１６で示すように、複数のＢＰＦ８４１１〜８４１４で干渉信号が存在しない帯域だけを通過させることができる。また、固定周波数のＢＰＦ８４１１〜８４１４には、誘電体セラミックフィルタや基板上で形成した高次フィルタを利用できるので、干渉信号に対する阻止量を大きくすることができる。
【００６８】
［実施の形態７］
図１７は、インパルス式のＵＷＢ無線方式における本発明の実施の第７の形態に係る受信器９１の電気的構成を示すブロック図である。この受信器９１は、前述の受信器３１，８１に類似している。注目すべきは、この受信器９１では、前記フィルタとして、固定周波数のＢＰＦ群８４と、可変周波数のＢＥＦ３４とが併用されていることである。
【００６９】
図１８は、この受信器９１におけるマイコン９８の動作を説明するための波形図である。前記ＢＰＦ群８４内の各ＢＰＦ８４１１，８４１２の通過帯域は、前段の固定ＢＰＦ３３の通過帯域に亘って、均等に配置されている。調整動作を開始すると、マイコン９８は、初期状態として全てのスイッチ素子８４２１，８４２４を導通状態とする。また、ＤＡ変換出力の電圧を下限にして、ＢＥＦ３４の中心周波数を固定ＢＰＦ３３の通過帯域外とする。続いて、各スイッチ素子８４２１，８４２４を順に開放状態にしながら、受信信号電力レベルを観測して、受信信号電力レベルが減少すれば、当該の高周波スイッチを開放状態のままにし、受信信号電力レベルが変わらなければ、当該の高周波スイッチを導通状態に戻す。いずれのスイッチ素子８４２１，８４２４を開放状態しても、受信信号電力レベルが減少するならば、全てのＢＰＦ８４１１，８４１２の通過帯域内に干渉信号が存在することになる。その場合には、１つのスイッチ素子のみを導通状態にして、ＤＡ変換の出力電圧を掃引しながら、受信信号電力レベルを観測し、受信信号電力レベルが減少する電圧でＤＡ変換の出力電圧を固定する。
【００７０】
このようにして、干渉信号が通過帯域に存在しないＢＰＦのみを導通状態にすることができない場合にも、電圧制御可変周波数ＢＥＦ３４の中心周波数を干渉信号の周波数にあわせて選択的に阻止し、ＵＷＢ信号のみを受信できるようになる。図１８では、２つのＢＰＦ８４１１，８４１２の通過帯域内にそれぞれ干渉信号が存在し、干渉信号のスペクトルが狭い方（高域側）の帯域を通過させるようにし、その帯域内の干渉信号をＢＥＦ３４で阻止する例を示している。
【００７１】
［実施の形態８］
図１９は、インパルス式のＵＷＢ無線方式における本発明の実施の第８の形態に係る受信器１０１の電気的構成を示すブロック図である。この受信器１０１は、前述の受信器３１に類似している。注目すべきは、この受信器１０１では、前記信号復調器３６として相関受信をする相関器３６ａが用いられ、これに対応して、比較信号源１０２と前記相関器３６ａとの間に、前記ＢＥＦ３４と同等のＢＥＦ１０４を設けることである。これらのＢＥＦ３４，１０４は、前記マイコン３８からの制御電圧ＶＴで共通に制御される。
【００７２】
このようにすることで、干渉信号がある場合には、可変周波数ＢＥＦ３４を通過したＵＷＢ無線の受信信号はスペクトルの一部が欠損し、比較信号との相関値が下がり、受信感度が劣化してしまうところ、受信信号と同じ波形の比較信号を相関器３６ａに与えることができ、相関演算の確度が向上して受信感度を向上することができる。
【図面の簡単な説明】
【００７３】
【図１】インパルス式のＵＷＢ無線方式における本発明の実施の第１の形態に係る受信器の電気的構成を示すブロック図である。
【図２】図１で示す受信器における電圧制御可変周波数ＢＥＦの一構成例を示す電気回路図である。
【図３】前記電圧制御可変周波数ＢＥＦの調整動作を説明するための波形図である。
【図４】インパルス式のＵＷＢ無線方式における本発明の実施の第２の形態に係る受信器の電気的構成を示すブロック図である。
【図５】図４で示す受信器における電圧制御可変周波数ＢＥＦ群の一構成例を示す電気回路図である。
【図６】前記電圧制御可変周波数ＢＥＦ群の調整動作を説明するための波形図である。
【図７】本発明の実施の第３の形態に係る受信器の電気的構成を示すブロック図である。
【図８】図７で示す受信器における固定周波数ＢＥＦ群の一構成例を示す電気回路図である。
【図９】図７で示す受信器における固定周波数ＢＥＦ群の調整動作を説明するための波形図である。
【図１０】本発明の実施の第４の形態に係る受信器の電気的構成を示すブロック図である。
【図１１】図１０で示す受信器における電圧制御可変周波数ＢＰＦの一構成例を示す電気回路図である。
【図１２】図１１で示す電圧制御可変周波数ＢＰＦの調整動作を説明するための波形図である。
【図１３】本発明の実施の第５の形態に係る受信器の電気的構成を示すブロック図である。
【図１４】図１３で示す受信器における可変周波数ＢＰＦ群の調整動作を説明するための波形図である。
【図１５】本発明の実施の第６の形態に係る受信器の電気的構成を示すブロック図である。
【図１６】図１５で示す受信器における固定周波数ＢＰＦ群の調整動作を説明するための波形図である。
【図１７】本発明の実施の第７の形態に係る受信器の電気的構成を示すブロック図である。
【図１８】図１７で示す受信器における固定周波数ＢＰＦ群および可変周波数ＢＥＦの調整動作を説明するための波形図である。
【図１９】本発明の実施の第７の形態に係る受信器の電気的構成を示すブロック図である。
【図２０】インパルス式のＵＷＢ無線方式において、送信機の一例を示すブロック図である。
【図２１】インパルス式のＵＷＢ無線方式において、ＡＳＫ変調での信号波形の例を示す図である。
【図２２】インパルス式のＵＷＢ無線方式において、ＢＰＳＫ変調での信号波形の例を示す図である。
【図２３】前記インパルス式のＵＷＢ無線方式における典型的な従来技術の受信器の概略的構成を示すブロック図である。
【図２４】前記インパルス式のＵＷＢ無線方式において、ＡＳＫ変調に対応する信号復調器の一構成例を示すブロック図である。
【図２５】前記インパルス式のＵＷＢ無線方式において、ＢＰＳＫ変調に対応する信号復調器の一構成例を示すブロック図である。
【符号の説明】
【００７４】
３１，４１，５１，６１，７１，８１，９１，１０１    受信器
３２    アンテナ
３３    ＢＰＦ
３４    ＢＥＦ
３５    ローノイズアンプ
３６    信号復調器
３７    判定器
３８，４８，５８，６８，７８，８８，９８    マイコン
３９    検波器
４０    積分器
４４    ＢＥＦ群
５４    ＢＥＦ群
６４    ＢＰＦ
７４    ＢＰＦ群
８４    ＢＰＦ群
８４１１〜８４１４    ＢＰＦ
８４２１〜８４２４    スイッチ素子
Ｃ１１〜Ｃ１５，Ｃ２１    コンデンサ
Ｄ１；Ｄ１１〜Ｄ１５；Ｄ２１，Ｄ２２    バラクタダイオード
Ｆ１〜Ｆ５    帯域阻止フィルタ
ＦＬ    ローパスフィルタ
ＦＨ    ハイパスフィルタ
Ｌ１；Ｌ１１〜Ｌ１５；Ｌ２１〜Ｌ２４    インダクタ
Ｓ１１〜Ｓ１５    ＰＩＮダイオード
【図１】
2008054012.tif 000003
【図２】
2008054012.tif 000004
【図３】
2008054012.tif 000005
【図４】
2008054012.tif 000006
【図５】
2008054012.tif 000007
【図６】
2008054012.tif 000008
【図７】
2008054012.tif 000009
【図８】
2008054012.tif 000010
【図９】
2008054012.tif 000011
【図１０】
2008054012.tif 000012
【図１１】
2008054012.tif 000013
【図１２】
2008054012.tif 000014
【図１３】
2008054012.tif 000015
【図１４】
2008054012.tif 000016
【図１５】
2008054012.tif 000017
【図１６】
2008054012.tif 000018
【図１７】
2008054012.tif 000019
【図１８】
2008054012.tif 000020
【図１９】
2008054012.tif 000021
【図２０】
2008054012.tif 000022
【図２１】
2008054012.tif 000023
【図２２】
2008054012.tif 000024
【図２３】
2008054012.tif 000025
【図２４】
2008054012.tif 000026
【図２５】
2008054012.tif 000027